(57)【要約】【課題】２つのバーナの間で被加熱物を移動させる際の作業性に優れたガスコンロを提供する。【解決手段】第１バーナＢ１を囲んで配置され、第１バーナＢ１で加熱される被加熱物Ｗが上側に載置される第１載置部１と、第２バーナＢ２を囲んで配置され、第２バーナＢ２で加熱される被加熱物Ｗが上側に載置される第２載置部２と、第１載置部１と第２載置部２との間に配置され、被加熱物Ｗが上側に載置される第３載置部３とを有し、第３載置部３は、ガスコンロ１０で調理を行う調理者Ｃから遠ざかる方向に突出した弧状形状である弧状部位Ａを有する【選択図】図３
2017133709.tif 000002
【特許請求の範囲】
【請求項１】
被加熱物を加熱する第１バーナと、
前記第１バーナに隣接して配置され、被加熱物を加熱する第２バーナと、
被加熱物が載置される五徳部とを有するガスコンロであって、
前記五徳部は、
前記第１バーナを囲んで配置され、前記第１バーナで加熱される被加熱物が上側に載置される第１載置部と、
前記第２バーナを囲んで配置され、前記第２バーナで加熱される被加熱物が上側に載置される第２載置部と、
前記第１載置部と前記第２載置部との間に配置され、被加熱物が上側に載置される第３載置部とを有し、
前記第３載置部は、ガスコンロで調理を行う調理者から遠ざかる方向に突出した弧状形状である弧状部位を有する、ガスコンロ。
【請求項２】
前記第１載置部において被加熱物が載置される面である第１載置面と、
前記第２載置部において被加熱物が載置される面である第２載置面と、
前記第３載置部において被加熱物が載置される面である第３載置面とが、同一平面上に配置されている請求項１に記載のガスコンロ。
【請求項３】
前記第３載置部は、前記第１載置部と前記第２載置部との両方に接続されており、前記第１載置面と前記第２載置面と前記第３載置面とが連続した面を形成している請求項２に記載のガスコンロ。
【請求項４】
前記第３載置部は、前記弧状部位を形成する弧状形状の棒状部位を複数有している請求項１〜３のいずれか一項に記載のガスコンロ。
【請求項５】
前記第３載置部における複数の前記棒状部位の弧状形状は、同一の形状を有している請求項４に記載のガスコンロ。
【請求項６】
前記第３載置部における複数の前記棒状部位は、当該棒状部位の全体に渡って一定の曲率であり、複数の前記棒状部位が同心円上に配置されている請求項４に記載のガスコンロ。
【請求項７】
前記第３載置部における複数の前記棒状部位のうち、ガスコンロで調理を行う調理者に最も近い棒状部位と、ガスコンロで調理を行う調理者に最も遠い棒状部位との距離が、９．０ｃｍ以上９．５ｃｍ以下である請求項４〜６のいずれか一項に記載のガスコンロ。
【請求項８】
前記五徳部は、前記第１載置部と前記第３載置部との間で分離可能に形成されている請求項１〜７のいずれか一項に記載のガスコンロ。
【請求項９】
前記五徳部は、第１分離部材と第２分離部材とに分離可能に形成されており、
前記第１載置部は、第１部分と第２部分とに分離可能に形成されており、
前記第１分離部材は前記第１載置部の前記第１部分を有し、
前記第２分離部材は、前記第１載置部の前記第２部分と、前記第２部分に固定的に接続された前記第３載置部の全体とを有する請求項１〜７のいずれか一項に記載のガスコンロ。
【発明の詳細な説明】
【技術分野】
【０００１】
本発明は、少なくとも２つのバーナを有するガスコンロに関する。
【背景技術】
【０００２】
バーナの直上以外の場所に鍋やフライパン等の被加熱物を置くことを可能にしたガスコンロが従来から提案されている。
【０００３】
特許文献１に記載されたコンロは、加熱源の周囲に配置される主ゴトクと、主ゴトクと略同一高さとなる補助ゴトクとを具備している。補助ゴトクは、主ゴトクが配設される部分を除く天板上の残部を覆うように配設されている。
【０００４】
特許文献２に記載されたコンロ用五徳では、調理容器をバーナ直上位置から横方向にずれた位置に載置しても、横方向各側の前後２個の五徳爪の両延長部と補助五徳爪とにより調理容器を支持できる。
【先行技術文献】
【特許文献】
【０００５】
【特許文献１】特許第３７０１７８４号明細書
【特許文献２】特許第５３９５８７６号明細書
【発明の概要】
【発明が解決しようとする課題】
【０００６】
２つのバーナを有するコンロを用いて調理を行う場合、一方のバーナの直上位置から、他方のバーナの直上位置へ被加熱物を移動する場合がある。例えば、２つのバーナの火力が異なるコンロにおいて、調理開始時には大火力のバーナを用いて沸騰させ、次に中火力のバーナを用いて長時間の煮込みを行うような場合である。上述したコンロおよびコンロ用五徳において、２つのバーナの間で被加熱物の移動を行う際の作業性は優れたものではなかった。
【０００７】
例えば特許文献１に記載されたコンロでは、補助ゴトクを構成する棒状の部材が、２つのバーナを結ぶ直線に対して、全て平行または直角に配置されている（特許文献１の図５および図６参照）。そうするとコンロを使用する調理者は、被加熱物の転倒を防止するために、２つのバーナを結ぶ直線と平行に被加熱物を移動させる必要がある。
【０００８】
特許文献２に記載されたコンロ用五徳では、一方のバーナから他方のバーナへ向かうにつれて、五徳爪の延長部は前後方向に離間し、距離が増加していく（特許文献２の図１参照）。そうするとコンロを使用する調理者は、上述した特許文献１の場合と同様に、被加熱物の転倒を防止するために、２つのバーナを結ぶ直線と平行に被加熱物を移動させる必要がある。
【０００９】
コンロの前側に立って調理作業を行う調理者が、２つのバーナを結ぶ直線と平行に被加熱物を移動させる場合、被加熱物の移動に伴って調理者と被加熱物との距離が刻々と変化する。そうすると、調理者は被加熱物を移動させる自らの腕を、被加熱物の移動に伴って曲げ伸ばしする必要がある。詳しくは、被加熱物が一方のバーナの直上位置から調理者の正面位置まで移動する間は、調理者は被加熱物を横方向に移動させつつ腕を曲げる必要がある。被加熱物が調理者の正面位置から他方のバーナの直上位置まで移動する間は、調理者は被加熱物を横方向へ移動させつつ腕を伸ばす必要がある。被加熱物が重い場合には、上述した腕の動きは調理者にとって大きな負担であり、場合によっては腕の負傷を引き起こす可能性がある。
【００１０】
本発明は上述の課題に鑑みてなされたものであり、その目的は、２つのバーナの間で被加熱物を移動させる際の作業性に優れたガスコンロを提供することにある。
【課題を解決するための手段】
【００１１】
上記目的を達成するためのガスコンロの特徴構成は、
被加熱物を加熱する第１バーナと、
前記第１バーナに隣接して配置され、被加熱物を加熱する第２バーナと、
被加熱物が載置される五徳部とを有するガスコンロであって、
前記五徳部は、
前記第１バーナを囲んで配置され、前記第１バーナで加熱される被加熱物が上側に載置される第１載置部と、
前記第２バーナを囲んで配置され、前記第２バーナで加熱される被加熱物が上側に載置される第２載置部と、
前記第１載置部と前記第２載置部との間に配置され、被加熱物が上側に載置される第３載置部とを有し、
前記第３載置部は、ガスコンロで調理を行う調理者から遠ざかる方向に突出した弧状形状である弧状部位を有する点にある。
【００１２】
上記の特徴構成によれば、第１載置部に載置された被加熱物を、第３載置部を経由して、第２載置部へと移動させることができる。ここで第３載置部は、ガスコンロで調理を行う調理者から遠ざかる方向に突出した弧状形状である弧状部位を有する。そうすると、被加熱物の移動経路が調理者から遠ざかる方向に突出した弧状の形状となるから、被加熱物の移動に際しての調理者の腕の曲げ伸ばしを少なくすることができる。従って、調理者の負傷の可能性を低減し、よりスムースな被加熱物の移動を実現し、作業性を向上することができる。すなわち上記の特徴構成によれば、第１載置部と第２載置部との間に配置され、被加熱物が上側に載置される第３載置部とを有し、第３載置部は、ガスコンロで調理を行う調理者から遠ざかる方向に突出した弧状形状である弧状部位を有することにより、２つのバーナの間で被加熱物を移動させる際の作業性に優れたガスコンロを提供することができる。加えて、２つのバーナの間での被加熱物の移動を第３載置部が実現しているから、他の補助的な五徳が不要となり、ガスコンロの清掃性やデザイン性を高めることが可能となる。
【００１３】
なお「弧状」とは、弓なりの形状をいい、一つの頂点を有するアーチ状の形状をいう。弧状形状は、場所によって曲率が変化していてもよいし、全体に渡って一定の曲率である、いわゆる円弧、すなわち円の一部であってもよい。
【００１４】
本発明に係るガスコンロの別の特徴構成は、前記第１載置部において被加熱物が載置される面である第１載置面と、前記第２載置部において被加熱物が載置される面である第２載置面と、前記第３載置部において被加熱物が載置される面である第３載置面とが、同一平面上に配置されている点にある。
【００１５】
上記の特徴構成によれば、第１載置面と第２載置面と第３載置面とが同一平面上に配置されているから、被加熱物の移動の際に被加熱物を持ち上げる必要がなくなり、２つのバーナの間で被加熱物を移動させる際の作業性をさらに高めることができる。
【００１６】
本発明に係るガスコンロの別の特徴構成は、前記第３載置部は、前記第１載置部と前記第２載置部との両方に接続されており、前記第１載置面と前記第２載置面と前記第３載置面とが連続した面を形成している点にある。
【００１７】
上記の特徴構成によれば、第３載置部が第１載置部と第２載置部との両方に接続され、第１載置面と第２載置面と第３載置面とが連続した面を形成しているから、第１載置部と第２載置部との間、および第２載置部と第３載置部との間において、被加熱物を滑らせて移動することができ、２つのバーナの間で被加熱物を移動させる際の作業性をさらに高めることができる。
【００１８】
本発明に係るガスコンロの別の特徴構成は、前記第３載置部は、前記弧状部位を形成する弧状形状の棒状部位を複数有している点にある。
【００１９】
上記の特徴構成によれば、第３載置部が弧状部位を形成する弧状形状の棒状部位を複数有していることにより、弧状部位を簡便に構成することができ、加えてガスコンロの清掃性を高めることができ好適である。
【００２０】
本発明に係るガスコンロの別の特徴構成は、前記第３載置部における複数の前記棒状部位の弧状形状は、同一の形状を有している点にある。
【００２１】
上記の特徴構成によれば、同一の形状を有している棒状部位にて第３載置部の弧状部位を簡便に構成することができ、加えてガスコンロのデザイン性も高めることができ好適である。
【００２２】
本発明に係るガスコンロの別の特徴構成は、前記第３載置部における複数の前記棒状部位は、当該棒状部位の全体に渡って一定の曲率であり、複数の前記棒状部位が同心円上に配置されている点にある。
【００２３】
上記の特徴構成によれば、同心円上に配置された円弧形状の棒状部位にて第３載置部の弧状部位を構成するから、第３載置部の弧状部位を簡便に構成することができ、加えてガスコンロのデザイン性も高めることができ好適である。さらに、被加熱物を弧状部位の弧状形状に沿って移動させると、被加熱物が円軌道を描くこととなり、調理者の作業負担を更に低減することができる。
【００２４】
本発明に係るガスコンロの別の特徴構成は、前記第３載置部における複数の前記棒状部位のうち、ガスコンロで調理を行う調理者に最も近い棒状部位と、ガスコンロで調理を行う調理者に最も遠い棒状部位との距離が、９．０ｃｍ以上９．５ｃｍ以下である点にある。
【００２５】
上記の特徴構成によれば、一般的な直径１４ｃｍ程度の鍋やフライパン等の被加熱物を、棒状部位で構成された第３載置部の弧状部位で安定して支持することができ、被加熱物の移動における作業性をさらに高めることができ好適である。
【００２６】
本発明に係るガスコンロの別の特徴構成は、前記五徳部は、前記第１載置部と前記第３載置部との間で分離可能に形成されている点にある。
【００２７】
上記の特徴構成によれば、五徳部は、第１載置部と第３載置部との間で分離可能に形成されているから、コンロの清掃性をさらに高めることができ好適である。
【００２８】
本発明に係るガスコンロの別の特徴構成は、前記五徳部は、第１分離部材と第２分離部材とに分離可能に形成されており、前記第１載置部は、第１部分と第２部分とに分離可能に形成されており、前記第１分離部材は前記第１載置部の前記第１部分を有し、前記第２分離部材は、前記第１載置部の前記第２部分と、前記第２部分に固定的に接続された前記第３載置部の全体とを有する点にある。
【００２９】
上記の特徴構成によれば、第２分離部材において、第１載置部の第２部分と第３載置部とが固定的に接続されているので、被加熱物の第１載置部から第３載置部への移動をよりスムースに行うことができ、加えて五徳部全体のデザイン性を向上させることが可能となり好適である。
【図面の簡単な説明】
【００３０】
【図１】ガスコンロの概要を示す斜視図
【図２】ガスコンロの概要を示す上面図
【図３】調理者による被加熱物の移動の様子を示す模式図
【図４】調理者による被加熱物の移動の様子を示す模式図
【図５】ガスコンロの概要を示す斜視図
【図６】ガスコンロの概要を示す上面図
【図７】ガスコンロの概要を示す上面図
【図８】ガスコンロの概要を示す上面図
【発明を実施するための形態】
【００３１】
（第１実施形態）
以下、第１実施形態に係るガスコンロについて説明する。図１および図２に示される通り、ガスコンロ１０は、筐体１１と、天板１２と、グリル部１３と、操作部１４と、グリル排気部１５と、第１バーナＢ１と、第２バーナＢ２と、五徳部（第１載置部１、第２載置部２および第３載置部３）とを有する。
【００３２】
以下の説明では、各図面に示す通り、天板１２の長辺に平行な方向をＸ方向（あるいは横方向）、天板１２の短辺に平行な方向をＹ方向（あるいは前後方向）、天板１２に垂直な方向をＺ方向（あるいは上下方向）とする。Ｘ方向に沿って第１バーナＢ１から第２バーナＢ２に向かう方向を＋Ｘ方向（あるいは右側）、その反対方向を−Ｘ方向（あるいは左側）とする。Ｙ方向に沿って操作部１４からグリル排気部１５に向かう方向を＋Ｙ方向（あるいは奥側）、その反対方向を−Ｙ方向（あるいは手前側）という。Ｚ方向に沿って筐体１１から天板１２に向かう方向を＋Ｚ方向（あるいは上側）、その反対方向を−Ｚ方向（あるいは下側）という。
【００３３】
ガスコンロ１０の構造を説明すると、矩形箱状の筐体１１の内部に第１バーナＢ１および第２バーナＢ２が収容され、筐体１１の上側に天板１２が配置される。筐体１１の手前側の面に、グリル部１３と操作部１４とが配置される。天板１２の奥側の端に、グリル排気部１５が配置される。操作部１４は、第１バーナＢ１、第２バーナＢ２およびグリル部１３の点火、消火および火力調整のためのスイッチである。グリル排気部１５は、グリル部１３で生じた煙等の調理排気をガスコンロ１０の外部に排出するための排気口である。
【００３４】
第１バーナＢ１および第２バーナＢ２は、火炎を生成する上側部分が天板１２の上側に露出する状態で配置される。第２バーナＢ２は、第１バーナＢ１の右側に隣接して配置される。
【００３５】
第１バーナＢ１を囲む状態で、天板１２の上に第１載置部１が配置されている。第１載置部１は、第１バーナＢ１が生成する火炎で被加熱物Ｗを加熱する際に、鍋やフライパン等の被加熱物Ｗを支持する。同様に、第２バーナＢ２を囲む状態で、天板１２の上に第２載置部２が配置されている。第２載置部２は、第２バーナＢ２が生成する火炎で被加熱物Ｗを加熱する際に、被加熱物Ｗを支持する。第１載置部１と第２載置部２との間に、第３載置部３が配置されている。第３載置部３は、第１バーナＢ１の上側から第２バーナＢ２の上側に（あるいはその反対の向きに）被加熱物Ｗを移動させる際に、被加熱物Ｗを支持する。
【００３６】
以上述べた第１載置部１、第２載置部２および第３載置部３によって、本実施形態に係るガスコンロ１０の五徳部が構成されている。すなわち五徳部は、第１バーナＢ１を囲んで配置され、第１バーナＢ１で加熱される被加熱物Ｗが上側に載置される第１載置部１と、第２バーナＢ２を囲んで配置され、第２バーナＢ２で加熱される被加熱物Ｗが上側に載置される第２載置部２と、第１載置部１と第２載置部２との間に配置され、被加熱物Ｗが上側に載置される第３載置部３とを有する。
【００３７】
そしてガスコンロ１０で調理を行う調理者Ｃは、ガスコンロ１０の手前側に立ち、操作部１４を操作して例えば第１バーナＢ１に点火し、第１載置部１の上側に被加熱物Ｗを載置して加熱する。
【００３８】
第１載置部１は、第１五徳爪１ａと、第２五徳爪１ｂと、第３五徳爪１ｃと、第４五徳爪１ｄと、第５五徳爪１ｅと、第６五徳爪１ｆと、第１五徳枠１ｇとを有する。第１五徳枠１ｇは環状の部材であり、第１バーナＢ１の周囲を囲み、上面視で第１バーナＢ１と円の中心を一致させた状態で、天板１２の上に配置されている。第１載置部１は、例えばピンと穴とからなる位置決め構造により位置決めされ、天板１２の上面に着脱自在に配置されている。
【００３９】
第１五徳爪１ａ〜第６五徳爪１ｆ（以下「６つの五徳爪」と総称する場合がある。）は、コの字形状の平板状部材である。６つの五徳爪は、天板１２と垂直な姿勢にて、コの字の下辺の先端が第１五徳枠１ｇに固定されている。図２に示す通り６つの五徳爪は、第１五徳枠１ｇの中心に対して上面視で等間隔に放射状に配置されており、第１五徳爪１ａと第４五徳爪１ｄとが、Ｙ方向に平行に配置されている。図１に示す、第１五徳爪１ａ〜第６五徳爪１ｆの各々の上面１ｈは、天板１２と平行な同一平面上に位置しており、これら上面１ｈが、第１載置部１において被加熱物Ｗが載置される面である第１載置面Ｄを形成している。
【００４０】
第２載置部２は、上述した第１載置部１と同様の構造である。すなわち第２載置部２は、第７五徳爪２ａと、第８五徳爪２ｂと、第９五徳爪２ｃと、第１０五徳爪２ｄと、第１１五徳爪２ｅと、第１２五徳爪２ｆと、第２五徳枠２ｇとを有する。第２五徳枠２ｇは環状の部材であり、第２バーナＢ２の周囲を囲み、上面視で第２バーナＢ２と円の中心を一致させた状態で、天板１２の上に配置されている。第２載置部２は、例えばピンと穴とからなる位置決め構造により位置決めされ、天板１２の上面に着脱自在に配置されている。
【００４１】
第７五徳爪２ａ〜第１２五徳爪２ｆ（以下「６つの五徳爪」と総称する場合がある。）は、コの字形状の平板状部材である。６つの五徳爪は、天板１２と垂直な姿勢にて、コの字の下辺の先端が第２五徳枠２ｇに固定されている。図２に示す通り６つの五徳爪は、第２五徳枠２ｇの中心に対して上面視で等間隔に放射状に配置されており、第７五徳爪２ａと第１０五徳爪２ｄとが、Ｙ方向に平行に配置されている。図１に示す、第７五徳爪２ａ〜第１２五徳爪２ｆの各々の上面２ｈは、天板１２と平行な同一平面上に位置しており、これら上面１ｈが、第２載置部２において被加熱物Ｗが載置される面である第２載置面Ｅを形成している。
【００４２】
第３載置部３は、第１部材３ａと第２部材３ｇとを有する。第１部材３ａは、第１柱状部位３ｂと、第２柱状部位３ｃと、第１棒状部位３ｄとを有する。第１部材３ａにおいて、第１柱状部位３ｂおよび第２柱状部位３ｃはＺ方向に平行に配置されている。そして第１柱状部位３ｂの上側の端部と、第２柱状部位３ｃの上側の端部とに、第１棒状部位３ｄが接続されている。第１部材３ａは、例えばピンと穴とからなる位置決め構造により位置決めされ、天板１２の上面に着脱自在に配置されている。第１棒状部位３ｄのＺ方向視の形状は、図２に示す通り、Ｙ方向に突出した弧状形状となっている。換言すれば第１棒状部位３ｄのＺ方向視の形状は、ガスコンロ１０における操作部１４が配置された側から、第１バーナＢ１および第２バーナＢ２に向かう方向に突出した、弧状形状となっている。また第１棒状部位３ｄのＺ方向視の形状は、第１バーナＢ１の中心と第２バーナＢ２の中心とを結ぶ直線である中心線ＢＣに対して、操作部１４と反対側に突出した、弧状形状となっている。
【００４３】
第２部材３ｇは、上述した第１部材３ａと同様の構造である。すなわち第２部材３ｇは、第３柱状部位３ｈと、第４柱状部位３ｊと、第２棒状部位３ｋとを有する。第２部材３ｇにおいて、第３柱状部位３ｈおよび第４柱状部位３ｊはＺ方向に平行に配置されている。そして第３柱状部位３ｈの上側の端部と、第４柱状部位３ｊの上側の端部とに、第２棒状部位３ｋが接続されている。第２部材３ｇは、例えばピンと穴とからなる位置決め構造により位置決めされ、天板１２の上面に着脱自在に配置されている。第２棒状部位３ｋのＺ方向視の形状は、図２に示す通り、Ｙ方向に突出した弧状形状となっている。
【００４４】
本実施形態では、第１部材３ａの第１棒状部位３ｄと、第２部材３ｇの第２棒状部位３ｋとにより、第３載置部３の弧状部位Ａが形成されている。上述した通り、ガスコンロ１０で調理を行う調理者Ｃは、ガスコンロ１０の手前側に立ち調理を行う。従って弧状部位Ａは、調理者Ｃから遠ざかる方向に突出した弧状形状である。すなわち第３載置部３は、ガスコンロ１０で調理を行う調理者Ｃから遠ざかる方向に突出した弧状形状である弧状部位Ａを有している。
【００４５】
ここで第１棒状部位３ｄと第２棒状部位３ｋの上面３ｐは、天板１２と平行な同一平面上に位置しており、これら上面３ｐが、第３載置部３において被加熱物Ｗが載置される面である第３載置面Ｆを形成している。本実施形態では、第１載置面Ｄ、第２載置面Ｅおよび第３載置面Ｆは同一平面上に配置されている。
【００４６】
ここで第３載置部３の、第１載置部１および第２載置部２との接続について説明する。図２に示す通り、第３載置部３の第１部材３ａおよび第２部材３ｇには、第１載置部１および第２載置部２の五徳爪と接続するためのＹ状部位が形成されている。第１部材３ａの左側の端部に位置する第１柱状部位３ｂには、Ｙ状部位３ｅが形成され、第１載置部１の第６五徳爪１ｆにおける端部１ｊと着脱自在に接続されている（図２の拡大部参照）。そして右側の端部に位置する第２柱状部位３ｃには、Ｙ状部位３ｆが形成され、第２載置部２の第８五徳爪２ｂの端部（図示せず）と着脱自在に接続されている。
【００４７】
なお第６五徳爪１ｆの上面１ｈと、第１部材３ａの上面３ｐ（すなわち第１棒状部位３ｄと第１柱状部位３ｂと第２柱状部位３ｃとの上面）と、第８五徳爪２ｂの上面２ｈとは、同一平面上に配置され、かつ連続した面を形成している。
【００４８】
第２部材３ｇについても同様に、左側の端部に位置する第３柱状部位３ｈには、Ｙ状部位３ｍが形成され、第１載置部１の第５五徳爪１ｅの端部（図示せず）と着脱自在に接続されている。そして右側の端部に位置する第４柱状部位３ｊには、Ｙ状部位３ｎが形成され、第２載置部２の第９五徳爪２ｃの端部（図示せず）と着脱自在に接続されている。
【００４９】
なお第５五徳爪１ｅの上面１ｈと、第２部材３ｇの上面３ｐ（すなわち第２棒状部位３ｋと第３柱状部位３ｈと第４柱状部位３ｊとの上面）と、第９五徳爪２ｃの上面２ｈとは、同一平面上に配置され、かつ連続した面を形成している。
【００５０】
すなわち第３載置部３は、第１載置部１と第２載置部２との両方に接続されており、第１載置面Ｄ（上面１ｈ）と第２載置面Ｅ（上面２ｈ）と第３載置面Ｆ（上面３ｐ）とが連続した面を形成している。
【００５１】
上述の通り、第１載置部１、第２載置部２および第３載置部３は、ガスコンロ１０の天板１２に対して着脱自在に配置されている。そして第１載置部１と第３載置部３との間、および第２載置部２と第３載置部３との間は、五徳爪の端部とＹ状部位との間で着脱自在に接続されている。従って図２に示すように、ガスコンロ１０の五徳部は、第１載置部１、第２載置部２および第３載置部３とに分離して、天板１２に対して着脱可能に構成されている。すなわち本実施形態では、ガスコンロ１０の五徳部は、第１載置部１と第２載置部２との間、および第２載置部２と第３載置部３との間で分離可能に形成されている。
【００５２】
また本実施形態では、第３載置部３が弧状形状の第１棒状部位３ｄと第２棒状部位３ｋを有し、これらによって弧状部位Ａが形成されている。そして図２に示される通り、第１棒状部位３ｄと第２棒状部位３ｋの弧状形状は、同一の形状を有している。すなわち第３載置部３は、弧状部位Ａを形成する弧状形状の棒状部位を複数有し、第３載置部３における複数の棒状部位の弧状形状は、同一の形状を有している。なお第１棒状部位３ｄと第２棒状部位３ｋとは、一定の間隔を保った位置関係で配置されている。
【００５３】
次に図３および図４を用いて、調理者Ｃが被加熱物Ｗを第１載置部１の上から第３載置部３の上へ移動させる際の動作（図３）、および第３載置部３の上から第２載置部２の上へ移動させる際の動作（図４）について説明する。図３および図４では、被加熱物Ｗが第１載置部１の上（第１位置Ｐ）に位置する状態と、被加熱物Ｗが第２載置部２の上（第２位置Ｑ）に位置する状態とを実線で、被加熱物Ｗが第３載置部３の上（第３位置Ｒ）に位置する状態を二点鎖線で表している。
【００５４】
被加熱物Ｗが重かったり、加熱調理の途中で熱い場合等には、調理者Ｃは被加熱物Ｗを持ち上げることを避けて、被加熱物Ｗを五徳部の上に載置したまま、被加熱物Ｗを滑らせて移動する。すなわち、調理者Ｃが被加熱物Ｗを第１位置Ｐから第３位置Ｒへ移動させる際、調理者Ｃは、被加熱物Ｗを第１載置部１の上に載置したまま、第１載置部１の第１載置面Ｄの上を滑らせて、第３載置部３の第３載置面Ｆへと乗り移らせる（図３）。同様に、調理者Ｃが被加熱物Ｗを第３位置Ｒから第２位置Ｑへ移動させる際、調理者Ｃは、被加熱物Ｗを第３載置部３の上に載置したまま、第３載置部３の第３載置面Ｆの上を滑らせて、第２載置部２の第２載置面Ｅへと乗り移らせる（図４）。
【００５５】
本実施形態では第３載置部３は、調理者Ｃから遠ざかる方向に突出した弧状形状である弧状部位Ａを有する。そうすると、被加熱物Ｗを持ち上げることを避ける調理者Ｃは、被加熱物Ｗを弧状部位Ａの形状に沿って移動させる。理想的な場合、被加熱物Ｗは、調理者Ｃの肩ＣＳを中心とする円軌道に沿って、五徳部の上を移動する。その場合は、被加熱物Ｗと肩ＣＳとの距離は一定となるから、調理者Ｃは被加熱物Ｗの移動に際して腕の曲げ伸ばしが不要となる。被加熱物Ｗの軌道が完全な円軌道とはならない場合でも、弧状部位Ａが調理者Ｃから遠ざかる方向に突出した弧状形状であることにより、被加熱物Ｗの中心ＷＣが、第１バーナＢ１の中心と第２バーナＢ２の中心とを結ぶ直線である中心線ＢＣに対して、奥側を通る軌道を描くことになる。この場合、調理者Ｃの腕の曲げ伸ばしは比較的少なくて済む。以上説明した通り、第３載置部３が調理者Ｃから遠ざかる方向に突出した弧状形状である弧状部位Ａを有することにより、調理者の負傷の可能性を低減し、よりスムースな被加熱物の移動を実現し、作業性を向上することができる。
【００５６】
なお以上の説明では、第１位置Ｐと第２位置Ｑとの間の被加熱物Ｗの移動について説明したが、本実施形態の第３載置部３は、その上を滑らせて被加熱物Ｗを通過させるだけでなく、加熱調理の合間に被加熱物Ｗを第３載置部３の上に一時的に載置して保管することも可能である。
【００５７】
ここで第１棒状部位３ｄと第２棒状部位３ｋの間の距離は、９．０ｃｍ以上９．５ｃｍ以下の範囲となるように、第１部材３ａと第２部材３ｇとが配置されている。このような配置とすると、一般的な直径１４ｃｍ程度の鍋やフライパン等の被加熱物Ｗを第３載置部３に載せた場合、被加熱物Ｗが奥側または手前側に偏って載置されたとしても、被加熱物Ｗの重心は第１棒状部位３ｄと第２棒状部位３ｋの間に位置することになる。従って被加熱物Ｗを、棒状部位で構成された第３載置部３の弧状部位Ａで安定して支持することができる。
【００５８】
（第２実施形態）
以下の第２実施形態以降の説明では、第１実施形態と同様の部材については同一の符号を付し、説明を省略する。上述した第１実施形態では、ガスコンロ１０の五徳部は、第１載置部１と第２載置部２との間、および第２載置部２と第３載置部３との間で分離可能に形成されていた。第２実施形態に係るガスコンロ１０では、図６に示すように、五徳部が第１分離部材Ｇ１と第２分離部材Ｇ２と第３分離部材Ｇ３とに分離可能に形成される。
【００５９】
以下、第２実施形態に係るガスコンロについて、図５および図６を用いて説明する。第１実施形態の第１五徳枠１ｇおよび第２五徳枠２ｇが円環状の部材であったのに対し、第２実施形態では、五徳枠が２つの円弧状の部材に分割されている。すなわち第１載置部１は、Ｚ方向視でＣ字形状の第３五徳枠１ｋと、Ｚ方向視で円弧状の第４五徳枠１ｍとを有する。第３五徳枠１ｋと第４五徳枠１ｍとで、第１バーナＢ１の周囲を囲む、Ｚ方向視で環状の部材となっている。第３五徳枠１ｋに、第１五徳爪１ａ〜第４五徳爪１ｄが固定されている。第４五徳枠１ｍに、第５五徳爪１ｅと第６五徳爪１ｆとが固定されている。以上の第１五徳爪１ａ〜第６五徳爪１ｆと、第３五徳枠１ｋと第４五徳枠１ｍとで、第１載置部１が構成されている。もって第２実施形態の第１載置部１は、第３五徳枠１ｋ、第１五徳爪１ａ〜第４五徳爪１ｄにより構成される第１部分Ｈ１と、第４五徳枠１ｍ、第５五徳爪１ｅおよび第６五徳爪１ｆにより構成される第２部分Ｈ２とに、分離可能に形成されている。
【００６０】
第２載置部２は、第１載置部１と同様に構成されている。すなわち第２載置部２は、Ｚ方向視でＣ字形状の第５五徳枠２ｋと、Ｚ方向視で円弧状の第６五徳枠２ｍとを有する。第５五徳枠２ｋと第６五徳枠２ｍとで、第２バーナＢ２の周囲を囲む、Ｚ方向視で環状の部材となっている。第５五徳枠２ｋに、第７五徳爪２ａと、第１０五徳爪２ｄ〜第１２五徳爪２ｆが固定されている。第６五徳枠２ｍに、第８五徳爪２ｂと第９五徳爪２ｃとが固定されている。以上の第７五徳爪２ａ〜第１２五徳爪２ｆと、第５五徳枠２ｋと第６五徳枠２ｍとで、第２載置部２が構成されている。もって第２実施形態の第２載置部２は、第５五徳枠２ｋ、第７五徳爪２ａおよび第１０五徳爪２ｄ〜第１２五徳爪２ｆにより構成される第３部分Ｈ３と、第６五徳枠２ｍ、第８五徳爪２ｂおよび第９五徳爪２ｃにより構成される第４部分Ｈ４とに、分離可能に形成されている。
【００６１】
第２実施形態に係る第３載置部３は、第１棒状部位３ｄと第２棒状部位３ｋとを有する。そしてこれらの棒状部位は、第１実施形態と異なり、第１載置部１と第２載置部２に属する五徳爪と一体的に成形されている。詳しくは、第１棒状部位３ｄは、第１載置部１の第６五徳爪１ｆおよび第２載置部２の第８五徳爪２ｂと連続した部材として形成されている。第２棒状部位３ｋは、第１載置部１の第５五徳爪１ｅおよび第２載置部２の第９五徳爪２ｃと連続した部材として形成されている。
【００６２】
上述の構成により、第２実施形態に係る五徳部は、図６に示す通り、第１分離部材Ｇ１と、第２分離部材Ｇ２と、第３分離部材Ｇ３とに分離可能に形成されている。第１分離部材Ｇ１は、第１載置部１の第１部分Ｈ１を有している。第２分離部材Ｇ２は、第１載置部１の第２部分Ｈ２と、第２部分Ｈ２に固定的に接続された第３載置部３の全体、すなわち第１棒状部位３ｄと第２棒状部位３ｋとを有する。加えて第２分離部材Ｇ２は、第２載置部２の第４部分Ｈ４を有している。第３分離部材Ｇ３は、第２載置部２の第３部分Ｈ３を有している。
【００６３】
（第３実施形態）
第１実施形態および第２実施形態に係る第１載置部１においては、第１五徳爪１ａ〜第６五徳爪１ｆが、第１五徳枠１ｇの中心に対して上面視で等間隔に、６０度の間隔で放射状に配置されていた。第２載置部２においても同様である。また第３載置部３の第１棒状部位３ｄと第２棒状部位３ｋとは、同一の曲率を有する棒状の部位として形成されていた。
【００６４】
第３実施形態に係る五徳部では、図７に示されるように、第３載置部３の第１棒状部位３ｄと第２棒状部位３ｋは、全体に渡って一定の曲率（すなわち円弧形状）であり、同心円上に配置される。同心円の中心は、第１載置部１の第１五徳爪１ａおよび第４五徳爪１ｄとを結ぶ直線と、第２載置部２の第７五徳爪２ａおよび第１０五徳爪２ｄとを結ぶ直線との、交点の付近に位置している。これにより、被加熱物Ｗの移動の際、被加熱物Ｗが円軌道を描くこととなり、調理者の作業負担を更に低減することができる。特に、同心円の中心をガスコンロ１０の手前側の、調理者Ｃが立つ位置の付近に位置させると、被加熱物Ｗの移動の際の調理者Ｃの負担をさらに低減することができる。
【００６５】
加えて、第１載置部１の第２五徳爪１ｂおよび第６五徳爪１ｆが、第３載置部３の第１棒状部位３ｄの弧状形状の延長線上に位置する。第１載置部１の第３五徳爪１ｃおよび第５五徳爪１ｅが、第３載置部３の第２棒状部位３ｋの弧状形状の延長線上に位置する。
第２載置部２の第８五徳爪２ｂおよび第１２五徳爪２ｆが、第３載置部３の第１棒状部位３ｄの弧状形状の延長線上に位置する。第２載置部２の第９五徳爪２ｃおよび第１１五徳爪２ｅが、第３載置部３の第２棒状部位３ｋの弧状形状の延長線上に位置する。
【００６６】
これにより、第１載置部１、第２載置部２および第３載置部３の間の被加熱物Ｗの移動が円弧形状の軌跡を描き更にスムースになる上、五徳部のデザイン性も向上させることができ、更に好適である。なおこの場合の五徳爪の形状は、図７に示すようにＺ方向視で第３載置部３の弧状部位Ａの弧状形状（すなわち同心円）に沿って湾曲させてもよいし、Ｚ方向視で直線となるよう構成してもよい。
【００６７】
なお第３載置部３は、連結部位３ｑを有する。連結部位３ｑは棒状の部材であって、第１棒状部位３ｄと第２棒状部位３ｋとを連結する。これにより第３載置部３は一体の部材となり、第３載置部３のガスコンロ１０への着脱が容易になる。
【００６８】
（第４実施形態）
図８は、第４実施形態に係るガスコンロを示している。当該ガスコンロでは、第２実施形態と同様に、五徳部が第１分離部材Ｇ１と第２分離部材Ｇ２と第３分離部材Ｇ３とに分離可能に形成されている。加えて第３実施形態と同様に、第３載置部３の弧状部位Ａに対して、その弧状形状の延長線上に五徳部の五徳爪が配置されている。
【００６９】
より詳しくは、第４実施形態に係る五徳部は、図８に示す通り、第１分離部材Ｇ１と、第２分離部材Ｇ２と、第３分離部材Ｇ３とに分離可能に形成されている。第１分離部材Ｇ１は、第１載置部１の第１部分Ｈ１を有している。第２分離部材Ｇ２は、第１載置部１の第２部分Ｈ２と、第２部分Ｈ２に固定的に接続された第３載置部３の全体、すなわち第１棒状部位３ｄと第２棒状部位３ｋとを有する。加えて第２分離部材Ｇ２は、第２載置部２の第４部分Ｈ４を有している。第３分離部材Ｇ３は、第２載置部２の第３部分Ｈ３を有している。
【００７０】
（他の実施形態）
（１）上述の実施形態では、第３載置部３の弧状部位Ａは、２つの棒状部位により構成されていた。これを改変し、弧状部位Ａを３つ以上の棒状部位により構成してもよいし、弧状形状の板や金網等により構成してもよい。
【００７１】
（２）上述の実施形態では、天板１２の上に第１載置部１、第２載置部２および第３載置部３のみが配置される例を説明した。しかし、その他の補助的な五徳を天板１２の上に配置した場合でも、第１載置部１と第２載置部２との間に配置される第３載置部３が、ガスコンロ１０で調理を行う調理者Ｃから遠ざかる方向に突出した弧状形状である弧状部位Ａを有する限り、被加熱物Ｗの移動の際の作業性を高める効果を奏するものである。
【００７２】
（３）上述の実施形態では、五徳部が３つの部材（第１分離部材Ｇ１、第２分離部材Ｇ２および第３分離部材Ｇ３）に分離可能に構成されていた。これを改変し、五徳部が分離せず１つの部材となるよう構成してもよいし、２つまたは４つ以上の部材に分離可能に構成してもよい。
【００７３】
なお上述の実施形態（他の実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００７４】
１        ：第１載置部
２        ：第２載置部
３        ：第３載置部
３ｄ      ：第１棒状部位（棒状部位）
３ｋ      ：第２棒状部位（棒状部位）
１０      ：ガスコンロ
Ａ        ：弧状部位
Ｂ１      ：第１バーナ
Ｂ２      ：第２バーナ
Ｃ        ：調理者
Ｄ        ：第１載置面
Ｅ        ：第２載置面
Ｆ        ：第３載置面
Ｇ１      ：第１分離部材
Ｇ２      ：第２分離部材
Ｈ１      ：第１部分
Ｈ２      ：第２部分
Ｗ        ：被加熱物
【図１】
2017133709.tif 000003
【図２】
2017133709.tif 000004
【図３】
2017133709.tif 000005
【図４】
2017133709.tif 000006
【図５】
2017133709.tif 000007
【図６】
2017133709.tif 000008
【図７】
2017133709.tif 000009
【図８】
2017133709.tif 000010